(57)【要約】【課題】遠隔位置であっても、電線の把持と接続スリーブの圧縮を単一の道具でできるようにして、作業時間を掛けることなく効率よく接続スリーブによる電線の圧縮接続作業を行い得るようにすることのできる連結アダプタを提供すること。【解決手段】電線を把持可能なヤットコ１００に、接続スリーブを電線の心線に圧縮接続する圧縮ペンチ２００を連結する連結アダプタ１０であって、ヤットコの把持部１０１に取り付ける取付部１１と、電線の心線に外装する接続スリーブを圧縮接続する圧縮ペンチの連結部材２０１に連結接続する菊座部２１と、を備えて、電線の把持位置と接続スリーブの圧縮位置とが所望の相対位置および相対姿勢になるように連結する。【選択図】図９
2008125291.tif 000002
【特許請求の範囲】
【請求項１】
電線を把持する把持道具部と、電線の心線を内装状態に差し込んで作動位置に位置させた接続スリーブを圧縮することにより該電線および接続スリーブを接続する圧縮工具部と、把持道具部および圧縮工具部の双方を遠隔位置に位置させるように支持する支持部と、遠隔位置の把持道具部を手元から操作する把持操作部と、遠隔位置の圧縮工具部を手元から操作する圧縮操作部と、を備えており、
把持道具部の把持する電線の心線に外装させた接続スリーブが圧縮工具部の作動位置に位置するように設計されていることを特徴とするスリーブ圧縮装置。
【請求項２】
電線を把持する把持部を遠隔位置に支持するとともに手元から操作可能な把持道具と、電線の心線を内装状態に差し込んで作動位置に位置させた接続スリーブを圧縮することにより該電線および接続スリーブを接続する操作棒の先端に取付可能な圧縮工具と、を連結する連結アダプタであって、
把持道具の把持部を遠隔位置に支持する支持部材に取り付ける把持側取付部と、操作棒の先端に連結する圧縮工具の連結部に取り付ける圧縮側取付部と、を備えており、
把持道具の把持部により把持する電線の心線に外装させた接続スリーブを圧縮工具の作動位置に位置決めするように把持側取付部と圧縮側取付部の相対位置および相対姿勢を固定することを特徴とする連結アダプタ。
【請求項３】
前記圧縮側取付部は、圧縮工具の連結部が菊座構造に形成されているのに対して、当該菊座構造に相対回転して任意の位置に噛み合い結合可能な菊座構造に形成されているとともに、当該菊座構造同士の結合位置を指示する手段が設けられていることを特徴とする請求項２に記載の連結アダプタ。
【発明の詳細な説明】
【技術分野】
【０００１】
本発明は、スリーブ圧縮装置および連結アダプタに関し、詳しくは、電線の被覆を剥いだ心線に接続スリーブを外装させて圧縮接続する作業を容易に行うことができるようにするものに関する。
【背景技術】
【０００２】
従来、断線した電線を接続などする場合には、その電線の被覆を剥がすとともに、その電線の心線を磨いた後に、その心線に円筒形状の接続スリーブを外装させた状態にして圧縮接続するなどして導通接続する作業を行っている。
【０００３】
この電線は、電柱に架線されている場合などには、遠隔位置にある状態で作業する必要があり、また、停電させることができない場合には、遠隔操作道具などにより作業をする必要があって、このような場合には、絶縁性を確保可能な、所謂、ヤットコにより電線を把持することが行われる（例えば、特許文献１参照）。
【０００４】
また、接続スリーブを遠隔位置にある状態で圧縮する作業を行う場合には、絶縁性を確保可能な回転操作棒の先端に圧縮ペンチを取付可能にしたものを用いて、電線の心線に外装させた接続スリーブを圧縮させることにより接続する作業が行われる（例えば、特許文献２参照）。
【特許文献１】特開２００５−２２０５１号公報
【特許文献２】特開２０００−１６６０３８号公報
【発明の開示】
【発明が解決しようとする課題】
【０００５】
しかしながら、このような従来の遠隔操作道具にあっては、電線の把持と接続スリーブの圧縮とを別個に行うと、遠隔位置であることからも安定せずに、その接続スリーブを圧縮ペンチの作動位置に位置決めすることが難しく、腕力が必要であるとともに、時間が掛かってしまう。増して、電線の端部同士を接続スリーブで接続する場合には、双方の電線を把持するヤットコも別々に操作することになり、圧縮ペンチの絶縁操作棒も別個に操作する必要があって、多くの作業者が必要であるとともに、時間もさらに掛かってしまう。
【０００６】
そこで、本発明は、遠隔位置であっても、電線の把持と接続スリーブの圧縮を単一の道具でできるようにして、作業時間を掛けることなく効率よく接続スリーブによる電線の圧縮接続作業を行い得るようにすることのできる連結アダプタを提供することを目的とする。
【課題を解決するための手段】
【０００７】
上記課題を解決するスリーブ圧縮装置の第１の発明は、電線を把持する把持道具部と、電線の心線を内装状態に差し込んで作動位置に位置させた接続スリーブを圧縮することにより該電線および接続スリーブを接続する圧縮工具部と、把持道具部および圧縮工具部の双方を遠隔位置に位置させるように支持する支持部と、遠隔位置の把持道具部を手元から操作する把持操作部と、遠隔位置の圧縮工具部を手元から操作する圧縮操作部と、を備えており、把持道具部の把持する電線の心線に外装させた接続スリーブが圧縮工具部の作動位置に位置するように設計されていることを特徴とするものである。
【０００８】
この発明では、共通に支持する道具で、電線を把持するとともに、その電線の心線に外装する接続スリーブを圧縮作動位置に位置決めすることができ、そのままその接続スリーブを圧縮して電線に接続することができる。したがって、把持する電線の位置調整などと接続スリーブの位置決めなどを別個に行う必要がなく、遠隔位置であっても電線の接続作業を容易に行うことができる。
【０００９】
上記課題を解決する連結アダプタの第１の発明は、電線を把持する把持部を遠隔位置に支持するとともに手元から操作可能な把持道具と、電線の心線を内装状態に差し込んで作動位置に位置させた接続スリーブを圧縮することにより該電線および接続スリーブを接続する操作棒の先端に取付可能な圧縮工具と、を連結する連結アダプタであって、把持道具の把持部を遠隔位置に支持する支持部材に取り付ける把持側取付部と、操作棒の先端に連結する圧縮工具の連結部に取り付ける圧縮側取付部と、を備えており、把持道具の把持部により把持する電線の心線に外装させた接続スリーブを圧縮工具の作動位置に位置決めするように把持側取付部と圧縮側取付部の相対位置および相対姿勢を固定することを特徴とするものである。
【００１０】
この発明では、既存の汎用品である把持道具の支持部材に連結アダプタの把持側取付部を取り付けて連結するとともに、同様に既存の汎用品である圧縮工具の連結部に連結アダプタの圧縮側取付部を取り付けて連結するだけで、把持道具により電線を把持するとともに、その電線の心線に外装する接続スリーブを圧縮工具による圧縮作動位置に位置決めすることができ、そのままその接続スリーブを圧縮して電線に接続することができる。したがって、把持する電線の位置調整などと接続スリーブの位置決めなどを別個に行うことなく、遠隔位置であっても電線の接続作業を容易に行うことができる。
【００１１】
上記課題を解決する連結アダプタの第２の発明は、上記第１の発明の特定事項に加え、前記圧縮側取付部は、圧縮工具の連結部が菊座構造に形成されているのに対して、当該菊座構造に相対回転して任意の位置に噛み合い結合可能な菊座構造に形成されているとともに、当該菊座構造同士の結合位置を指示する手段が設けられていることを特徴とするものである。
【００１２】
この発明では、圧縮工具の連結部と連結アダプタの把持側取付部とを連結する菊座構造を、結合位置の指示手段により設計通りに噛み合い結合させて連結することができる。したがって、菊座構造を相対回転させて位置調整することなく、把持道具の支持部材に対して圧縮工具を適正な相対位置および相対姿勢で連結することができ、そのまま電線の接続スリーブによる接続作業を行うことができる。
【発明の効果】
【００１３】
このように本発明によれば、共通に位置決めして電線を把持するとともに接続スリーブの圧縮作業を行うことができ、把持する電線の位置調整などと接続スリーブの位置決めなどを別個に行うことなく、容易に行うことができる。したがって、遠隔位置であっても、電線を接続スリーブにより接続する作業を容易に行うことができ、作業時間を掛けることなく効率よく電線の接続作業を完了することができる。
【発明を実施するための最良の形態】
【００１４】
以下、本発明の最良の実施形態を図面に基づいて説明する。図１〜図１２は本発明に係る連結アダプタにより組み立てたスリーブ圧縮装置の一実施形態を示す図である。
【００１５】
図１において、連結アダプタ１０は、図２に示す把持道具のヤットコ１００と、図３に示す圧縮工具の圧縮ペンチ（株式会社日本ＦＣＩ製）２００とを連結する際に利用するものであり、図４に示すように、ヤットコ１００で把持する電線Ｄの心線ｄに外装した接続スリーブＳを圧縮ペンチ２００で圧縮させてその電線Ｄに接続する作業を容易に行い得るようにすることができる。
【００１６】
ここで、ヤットコ１００は、図２に示すように、対象物を掴む把持部１０１と、作業者が把持して支持する支持棒１０２と、伝達棒１０３を介して操作力を伝達することにより把持部１０１を操作するハンドル１０４と、を備えている。このヤットコ１００の把持部１０１は、支持棒１０２に固設されている屈折形状の不動部材１０１ａが二股に分かれており、伝達棒１０３に連結されている湾曲形状の可動部材１０１ｂがその二股の不動部材１０１ａの間で回動軸１０１ｃを中心に回動自在に軸支されている。
【００１７】
これにより、ヤットコ１００は、ハンドル１０４を操作することにより、把持部１０１の不動部材１０１ａに対して可動部材１０１ｂを相対回動させることができ、その不動部材１０１ａの屈折内面と可動部材１０１ｂの湾曲内面の間で対象物などを掴むことができる。なお、このヤットコ１００には、掴む側からの水分を滴下させる傘カバー１０５と、掴む側からの絶縁性を考慮して安全に作業を行い得る限界位置を示す傘カバー１０６とを備えて、概略全体をプラスチックやゴム材料などの絶縁材料で作製されることにより絶縁性が確保されている。
【００１８】
圧縮ペンチ２００は、図３に示すように、手動式の圧縮ペンチであり、作業者が把持などする支持部材に連結する連結部材２０１と、この連結部材２０１に対して不動の姿勢で連設されている不動部材２０２と、この不動部材２０２の頂部に一端部を回動自在に支持されている回動部材２０３と、この回動部材２０３の他端部に後端部を回動自在に支持されているとともに先端部に牽引用のリング部材２０４ａを備える牽引部材２０４と、不動部材２０２の中間部から連結部材２０１の反対方向に突出する支持部材２０２ａの先端部に中間部を回動自在に支持されているとともに上部が牽引部材２０４の中間部に回動自在に連結されている伝達部材２０５と、不動部材２０２の下部の連結部材２０１の反対側に下部を回動自在に支持されているとともに上部が伝達部材２０５の下部に回動自在に連結されている圧縮部材２０６と、不動部材２０２の最下部に配設されて近接方向に回動されてくる圧縮部材２０６の最下部の圧縮部２０６ａに受け部２０７ａを対面させる受け部材２０７と、を備えて構築されている。ここで、本実施形態における説明中の上下関係は、図面の上下に一致させて説明しており、この圧縮ペンチ２００を含めて実際の使用時の上下関係を意味しているものではなく、理解し易いように仮に上下を付けているものである。
【００１９】
これにより、圧縮ペンチ２００は、牽引部材２０４の先端部のリング部材２０４ａを図中下方に牽引すると、その牽引部材２０４が中間部の伝達部材２０５の上部を中心に回動することにより、回動部材２０３が従動回動して伝達部材２０５を不動部材２０２に接近させる方向に従動回動させることになる。この結果、圧縮ペンチ２００は、その伝達部材２０５の回動により圧縮部材２０６が最下部の圧縮部２０６ａを受け部材２０７の受け部２０７ａに接近させることによって、長尺部材の牽引部材２０４を牽引する牽引力により回動中心までの距離が短尺の圧縮部材２０６の圧縮部２０６ａが回動して受け部２０７ａとの間に位置する接続スリーブＳをその牽引力を増大させた圧接力で圧縮・変形させることができる。なお、この圧縮ペンチ２００は、不図示のラチェット機構などにより逆戻りすることを制限されているが、圧縮部２０６ａと受け部２０７ａとを最接近させる圧縮操作によりその制限が外れて牽引部材２０４と回動部材２０３の間の復帰バネ２０８により初期状態に戻ることができ、その圧縮操作を中止する場合には、伝達部材２０５のリング部材２０５ａを不動部材２０２側に引くことにより逆戻りの制限を解除させて初期状態に戻すことができる。
【００２０】
この圧縮ペンチ２００は、連結部材２０１の一端部２０１ａを相手部材に菊座構造により連結接続することができるように設計されており、一般的には、例えば、図５に示すような菊座アダプタ３００を介して図６に示す絶縁操作棒４００の先端に連結して取り付けることにより、作業者がその絶縁操作棒４００を把持するなどして遠隔する作業位置まで持っていくことができるように設計されている。
【００２１】
菊座アダプタ３００は、図５に示すように、連結部材２０１の一端部２０１ａに連結接続するヘッド部３０１と、絶縁操作棒４００の先端に連結接続するジョイント部３１１とが棒状の両端部に配置されている。
【００２２】
まず、その圧縮ペンチ２００の連結部材２０１は、一端部２０１ａが先端から内方に向かってＵ字形状に開口する連結溝２０１ｂを有する円盤形状に形成されているとともに、その一端部２０１ａの一面側に連結溝２０１ｂの底部を中心にして放射状に突出する不図示の突起が周方向に連続するように複数形成されている（菊座アダプタ３００のヘッド部３０１と相似形状）。
【００２３】
これに対して、菊座アダプタ３００のヘッド部３０１は、その連結部材２０１の円盤状の一端部２０１ａに対面可能な円盤形状に形成されており、そのヘッド部３０１の一面側の中心に蝶雌ネジ３０４の螺合する雄ネジ３０３が立設されているとともに、連結部材２０１の一端部２０１ａと同様に、その雄ネジ３０３（一面側中心）から放射状に突出して周方向に連続する複数の突起３０２が形成されている。
【００２４】
これにより、菊座アダプタ３００のヘッド部３０１は、連結部材２０１の一端部２０１ａの連結溝２０１ｂ内に、雄ネジ３０３を差し込んで円盤形状が互いに対面接触する状態に蝶雌ネジ３０４をその雄ネジ３０３に螺合させて締め付けることにより、互いの突起３０２同士を噛み合い係合させることができ、その噛み合い位置を相対回転させることにより任意の相対角度にして絶縁操作棒４００に対して所望の姿勢になるように圧縮ペンチ２００を連結接続することができる。
【００２５】
また、この菊座アダプタ３００のジョイント部３１１は、絶縁操作棒４００の先端部を差込可能に基端部の後端面が開口する有底の円筒形状に形成されており、その円筒部の互いに反対側となる周面が概略Ｔ字形状に切り欠かれることにより、後端面（操作棒４００）側から先端側に向う差込切欠部３１３と、この差込切欠部３１３の直交方向の両側に連続するように屈折する係合切欠部３１４と、が一対形成されている。
【００２６】
これに対して、絶縁操作棒４００は、図６示すように、先端部の互いに反対側となる側面に突起形状に一対立設されることによりジョイント部３１１の２箇所の切欠部３１３、３１４内に挿し込んで係合させることのできるピン４０１と、先端部の先端面に配設されて不図示の内蔵スプリングにより突出方向に付勢されている突起４０２と、先端部の側面に刻設されている不図示のネジ形状に螺合して進退可能なグリップ４０３と、滑り難い材質の取替え可能な滑り止が施されて作業員の把持する基端部側の把持部４０４と、を備えている。
【００２７】
これにより、絶縁操作棒４００は、菊座アダプタ３００のジョイント部３１１内に先端部を差し込んで突起４０２を内蔵スプリングの弾性力に抗して沈ませつつ、ピン４０１の双方をそのジョイント部３１１の切欠部３１３、３１４内に進入させて回転させた後に、その進入させる力を解放すると、突起４０２がスプリングの弾性力により突出してジョイント部３１１を押し出すことにより、その係合切欠部３１４から屈折する係合溝３１４ａ内にピン４０１を離脱不能に係合させることができる。さらに、この絶縁操作棒４００は、グリップ４０３を回転させてジョイント部３１１側に寄せることによりピン４０１が係合溝３１４ａ内から離脱して回転しないようにロックすることができ、圧縮ペンチ２００（菊座アダプタ３００）が相対回転して外れてしまうことを信頼性高く防止して取り扱い易くすることができる。ここで、この絶縁操作棒４００は、中間部分に傘カバー４０５、４０６が取り付けられているとともに、全体をプラスチックなどの絶縁材料で作製されることにより絶縁性が確保されており、先端側の傘カバー４０５が圧縮ペンチ２００側からの水分を滴下させるとともに、基端側の傘カバー４０６が安全に作業を行い得る限界位置を示して、作業する際の安全を確保している。
【００２８】
また、この絶縁操作棒４００には、図７に示す先端工具のフック５００を先端に連結接続して使用することができるように準備されており、このフック５００は、図７に示すように、菊座アダプタ３００と同様に、ジョイント部３１１に鍵部５０１が固設されている。これにより、絶縁操作棒４００は、フック５００のジョイント部３１１を先端に連結接続して、別個の絶縁操作棒４００の先端に連結接続された遠隔位置の圧縮ペンチ２００の牽引部材２０４先端のリング部材２０４ａに、鍵部５０１の先端５０２を引っ掛けて牽引する作業を行うことができる。
【００２９】
そして、図１に戻って、連結アダプタ１０は、ヤットコ１００の支持棒１０２先端に把持部１０１を連結固定する円筒部１１１に取り付ける取付部１１と、圧縮ペンチ２００の連結部材２０１の一端部２０１ａに菊座構造により連結接続して取り付ける菊座部２１と、これら取付部１１および菊座部２１とを連結する連結部３１と、を備えている。すなわち、連結アダプタ１０は、取付部１１で把持側取付部を構成するとともに、菊座部２１で圧縮側取付部を構成することにより、連結部３１を介してその取付部１１と菊座部２１の相対位置や相対姿勢が所定の関係になるように設計されている。
【００３０】
取付部１１は、ヤットコ１００の把持部１０１の円筒部１１１を収装可能に板状半円筒形状を２分割した円筒部１２ａ、１２ｂと、この円筒部１２ａ、１２ｂの一端側を互いに相対回動自在に連結して内部の収装空間を開閉可能に支持する回動軸１３と、円筒部１２ａ、１２ｂの他端部が延長されて対面する対面部１４ａ、１４ｂと、を備えており、図８に示すように、対面部１４ａ、１４ｂの中央に開口する不図示の貫通穴に蝶雄ネジ１５の雄ネジ部１５ａを挿通させて緊締するようにネジ止めすることにより、ヤットコ１００の把持部１０１の円筒部１１１を締め付ける状態に取付・固定することができる。
【００３１】
これに対して、ヤットコ１００の把持部１０１の円筒部１１１は、支持棒１０２先端に貫通するピン１１１ａにより固定していることから、連結アダプタ１０の取付部１１は、対面部１４ａ、１４ｂの間に突起状に突出するピン１１１ａの端部を位置させることにより、円筒部１２ａ、１２ｂがその円筒部１１１の周りを周方向にずれてしまわないように取り付けることができ、その周方向反対側に位置する２箇所のピン１１１ａを利用して、対面部１４ａ、１４ｂを１８０度回転させることによって取付向きを選択することができる。
【００３２】
菊座部２１は、汎用の菊座アダプタ３００のヘッド部３０１と同様に、圧縮ペンチ２００の連結部材２０１の円盤状の一端部２０１ａに対面可能な円盤形状に形成されており、その一面側の中心に蝶雌ネジ２４の螺合する雄ネジ２３が立設されているとともに、その雄ネジ２３（一面側中心）から放射状に突出して周方向に連続する複数の突起２２が形成されている。また、この菊座部２１には、圧縮ペンチ２００の連結部材２０１の一端部２０１ａを対面させたときに、その一端部２０１ａで開口するＵ字形状の連結溝２０１ｂの位置を指示するマーク２５が形成されており、そのマーク２５が見える相対角度でその一端部２０１ａを連結接続することにより、後述するように圧縮ペンチ２００（圧縮ペンチ２００の連結部材２０１）の相対位置や相対姿勢を所望にすることができる。
【００３３】
これにより、菊座部２１は、圧縮ペンチ２００の連結部材２０１の一端部２０１ａの連結溝２０１ｂ内に雄ネジ２３を差し込んで円盤形状が互いに対面接触する状態にしつつ、蝶雄ネジ２４をその雄ネジ２３に螺合させて締め付けることにより、互いの突起２２同士を噛み合い係合させることができ、後述するように、その圧縮ペンチ２００側の連結溝２０１ｂからマーク２５が露出する相対角度で噛み合い係合させることにより連結アダプタ１０の取付部１１により取り付けたヤットコ１００に対して所望の姿勢になるように圧縮ペンチ２００を連結接続することができる。
【００３４】
連結部３１は、菊座部２１の突起２２が形成されている円盤形状から離隔するように延長されている基端部２６を含めて、この基端部２６に対して直交するとともにその菊座部２１の円盤形状の平面に対する平行方向に延長されている板状部３２を備えて構成されている。この連結部３１は、基端部２６が板状部３２の一面側の一端部側に位置するように固設されており、取付部１１の円筒部１２ｂが軸方向を菊座部２１の菊座構造の背面側に位置して板状部３２の延長方向と平行になる姿勢で回転不能にその板状部３２の他面側の他端部側に位置するように固設されている。また、連結部３１は、その取付部１１の蝶雄ネジ１５の雄ネジ部１５ａが螺合する雌ネジ３１ａが板状部３２に穿孔・刻設されている。そして、この連結部３１は、菊座部２１の基端部２６の寸法と共に板状部３２の寸法を調整することにより、ヤットコ１００の把持部１０１の不動部材１０１ａの屈折内面と可動部材１０１ｂの湾曲内面の間で掴む電線Ｄの心線ｄが圧縮ペンチ２００の圧縮部２０６ａの接近する受け部２０７ａ上に位置するように設計されている。
【００３５】
このような構造に設計することにより、連結アダプタ１０は、図９および図１０に示すように、取付部１１の円筒部１２ａ、１２ｂ内にヤットコ１００の把持部１０１の円筒部１１１を収装する状態にして対面部１４ａ、１４ｂを対面させつつ蝶雄ネジ１５により緊締することによって、ヤットコ１００の支持棒１０２の先端に取り付けて連結接続することができる。また同時に、連結アダプタ１０は、菊座部２１に圧縮ペンチ２００の連結部材２０１の一端部２０１ａをその連結溝２０１ｂからマーク２５が露出する相対角度で噛み合い係合させることにより、連結部３１を介して、そのヤットコ１００の把持部１０１で把持する電線Ｄの心線ｄが圧縮ペンチ２００の受け部２０７ａ上に位置するように設定することができる。
【００３６】
この結果、ヤットコ１００と圧縮ペンチ２００を連結アダプタ１０により連結するだけで、ヤットコ１００の把持部１０１の機能（把持道具部）と、圧縮ペンチ２００の機能（圧縮工具部）と、ヤットコ１００の支持棒１０２の機能（支持部）と、ヤットコ１００の伝達棒１０３およびハンドル１０４による機能（把持操作部）と、を備える装置を構築することができ、併せて、フック５００を先端に取り付けた絶縁操作棒４００の機能（遠隔操作部）とによりスリーブ圧縮装置を構成することにより、そのヤットコ１００を操作して電線Ｄを掴むとともに、そのヤットコ１００先端の圧縮ペンチ２００を絶縁操作棒４００先端のフック５００で操作するだけで、遠隔位置の電線Ｄの心線ｄに外装した接続スリーブＳを圧縮してその電線Ｄに接続する作業を行うことができる。
【００３７】
したがって、図１１に示すように、このスリーブ圧縮装置１０００のヤットコ１００の把持部１０１で高所などの遠隔位置の電線Ｄ１を掴んで支持するとともに、圧縮ペンチ２００をフック５００付きの絶縁操作棒４００で操作することにより、その電線Ｄ１の心線ｄに外装させた接続スリーブＳの一端側を圧縮してその電線Ｄ１に接続することができる。そして、この後に、別個の汎用のヤットコ２０００により掴んだ電線Ｄ２の心線ｄをその接続スリーブＳの他端側の内部に内装させて支持するとともに、スリーブ圧縮装置１０００のヤットコ１００の把持部１０１による電線Ｄ１の把持位置をずらした後に、圧縮ペンチ２００をフック５００付きの絶縁操作棒４００で操作して電線Ｄ２の心線ｄを内装するその接続スリーブＳの他端側を圧縮してその電線Ｄ２に接続することができる。
【００３８】
よって、この高所などの遠隔位置の電線Ｄ１、Ｄ２の接続作業を、スリーブ圧縮装置１０００のヤットコ１００とフック５００付き絶縁操作棒４００を操作する作業者と、別個の汎用のヤットコ２０００を操作する作業者との２人で容易に行うことができ、別個のヤットコ２０００の操作は接続スリーブＳの他端側の圧縮接続時に行うだけでよい。すなわち、従来には、図１２に示すように、絶縁操作棒４００の先端に接続した圧縮ペンチ２００を支持操作する作業者と、接続スリーブＳの一端側に圧縮接続する電線Ｄ１をヤットコ２０００で把持する作業者と、接続スリーブＳの他端側に圧縮接続する電線Ｄ２をヤットコ２０００で把持する作業者との３人の作業者が必要であるとともに、圧縮接続する電線Ｄ１、Ｄ２（接続スリーブＳ）を把持する作業者と圧縮ペンチ２００を支持操作する作業者が別であったので、タイミングを合わせることが難しく、注意深く作業しないと接続ミスを起こす可能性があり、また、時間も相当掛かっていたが、これらによる同一の作業を容易かつ短時間に完了することができる。
【００３９】
なお、図１２に示す作業を２人で行うことも可能であるが、この場合には、接続スリーブＳの一端側と他端側に圧縮接続する２本の電線Ｄ１、Ｄ２を２台のヤットコ２０００を操作して把持する必要があり、相当の腕力と熟練が必要であるとともに、絶縁操作棒４００やヤットコ２０００が交差してしまい作業性を悪くしてしまう。この点からしても、本実施形態によるスリーブ圧縮装置１０００を利用する方が有利である。
【００４０】
このように本実施形態においては、電線Ｄの心線ｄと接続スリーブＳとを共通に位置決め把持しつつその圧縮接続作業を行うことができ、把持する電線Ｄの位置と接続スリーブＳの圧縮位置の調整をすることなく、その圧縮接続を容易に行うことができる。したがって、高所などの遠隔位置であっても、電線Ｄを接続スリーブＳにより圧縮接続する作業を容易に行うことができ、作業時間を掛けることなく効率よく電線Ｄの接続作業を完了することができる。
【産業上の利用可能性】
【００４１】
これまで本発明の一実施形態について説明したが、本発明は上述の実施形態に限定されず、その技術的思想の範囲内において種々異なる形態にて実施されてよいことは言うまでもない。
【図面の簡単な説明】
【００４２】
【図１】本発明に係る連結アダプタの一実施形態の全体構成を示す図であり、（ａ）はその一方向から見たときの平面図、（ｂ）はその直交方向から見たときの平面図である。
【図２】その連結アダプタを取り付けるヤットコを示す平面図である。
【図３】その連結アダプタによりヤットコに取り付ける圧縮ペンチを示す平面図である。
【図４】その圧縮ペンチにより圧縮接続する電線と接続スリーブを示す平面図である。
【図５】その圧縮ペンチを絶縁操作棒の先端に取り付ける際に用いる菊座アダプタを示す平面図である。
【図６】その絶縁操作棒を示す平面図である。
【図７】その絶縁操作棒の先端に取り付けるフックを示す平面図である。
【図８】その連結アダプタを取り付けたヤットコの把持部を示す平面図である。
【図９】その連結アダプタによりヤットコの先端に圧縮ペンチを連結接続したときの状態を示す平面図である。
【図１０】その図９の反対側から見たときの状態を示す平面図である。
【図１１】その連結アダプタによりヤットコの先端に圧縮ペンチを連結接続したスリーブ圧縮装置を用いたときの電線の接続作業を説明する立面状態図である。
【図１２】従来技術による電線の接続作業を説明する立面状態図である。
【符号の説明】
【００４３】
１０……連結アダプタ    １１……取付部    １２ａ、１２ｂ……円筒部    １３……回動軸    １４ａ、１４ｂ……対面部    １５……蝶雄ネジ    ２１……菊座部    ２２……突起    ２３……雄ネジ    ２４……蝶雌ネジ    ２５……マーク    ２６……基端部    ３１……連結部    ３２……板状部    １００……ヤットコ    １０１……把持部    １０１ａ……不動部材    １０１ｂ……可動部材    １０１ｃ……回動軸    １０２……支持棒    １０３……伝達棒    １０４……ハンドル    １１１ａ……ピン    １１１……円筒部    ２００……圧縮ペンチ    ２０１……連結部材    ２０１ｂ……連結溝    ２０２……不動部材    ２０３……回動部材    ２０４……牽引部材    ２０４ａ、２０５ａ……リング部材    ２０５……伝達部材    ２０６……圧縮部材    ２０６ａ……圧縮部    ２０７……受け部材    ２０７ａ……受け部    ２０８……復帰バネ    ３１１……ジョイント部    ３１３……差込切欠部    ３１４……係合切欠部    ３１４ａ……係合溝    ４００……絶縁操作棒    ４００……操作棒    ４０１……ピン    ４０２……突起    ４０３……グリップ    ４０４……把持部    ５００……フック    ５０１……鍵部    １０００……スリーブ圧縮装置    ２０００……ヤットコ    Ｄ……電線    ｄ……心線    Ｓ……接続スリーブ
【図１】
2008125291.tif 000003
【図２】
2008125291.tif 000004
【図３】
2008125291.tif 000005
【図４】
2008125291.tif 000006
【図５】
2008125291.tif 000007
【図６】
2008125291.tif 000008
【図７】
2008125291.tif 000009
【図８】
2008125291.tif 000010
【図９】
2008125291.tif 000011
【図１０】
2008125291.tif 000012
【図１１】
2008125291.tif 000013
【図１２】
2008125291.tif 000014